(57)【要約】【課題】枠体の強度を確保しつつ、設置スペースによる影響を抑えてカウンターウェートの重量増を図ることのできるエレベータ装置を提供する。【解決手段】巻上機２０と、巻上機２０に巻掛けられたトラクションロープ３０と、トラクションロープ３０の一方に設けられ昇降路１０内を移動する乗りかご４０と、トラクションロープの他方に設けられ昇降路内１０を移動するカウンターウェート６０とを備えている。カウンターウェート６０は、枠体６１と、枠体６１内に積層された主ウェート６２を備え、主ウェート６２に追加ウェート６５を固定した。【選択図】図２
2020169085.tif 000002
【特許請求の範囲】
【請求項１】
枠体と、前記枠体内に積層された主ウェートとを備えたカウンターウェートにおいて、
前記主ウェートに追加ウェートを固定したことを特徴とするカウンターウェート。
【請求項２】
請求項１において、
前記枠体は上下方向に延びた一対の縦枠と、前記一対の縦枠の上端部に固定された上板と、前記一対の縦枠の下端部に固定された下板とから構成され、
前記一対の縦枠は上下方向と直交する断面形状がＵ字状であり、前記Ｕ字状の開口側が互いに対向するように配置され、
前記主ウェートは、両端部が前記縦枠の開口に挿入され、中央部が前記枠体から露出し、
前記追加ウェートは前記主ウェートの中央部に固定したことを特徴とするカウンターウェート。
【請求項３】
請求項１または２において、
前記追加ウェートは複数有し、上下方向に積層されて配置したことを特徴とするカウンターウェート。
【請求項４】
請求項１または２において、
前記主ウェートには穴が穿設され、前記追加ウェートは前記穴に埋め込まれる埋込ボルトにより、前記主ウェートに固定したことを特徴とするカウンターウェート。
【請求項５】
請求項３において、
前記複数の追加ウェートは、隣接する前記追加ウェート同士が対向する位置に設けた固定ピンにより連結したことを特徴とするカウンターウェート。
【請求項６】
請求項５において、
前記追加ウェートには、前記固定ピンを固定する固定ボルトを設けたことを特徴とするカウンターウェート。
【請求項７】
巻上機と、前記巻上機に巻掛けられたトラクションロープと、前記トラクションロープの一方に設けられ昇降路内を移動する乗りかごと、前記トラクションロープの他方に設けられ前記昇降路内を移動するカウンターウェートとを備えたエレベータ装置において、
前記カウンターウェートは、枠体と、前記枠体内に積層された主ウェートを備え、
前記主ウェートに追加ウェートを固定したことを特徴とするエレベータ装置。
【請求項８】
請求項７において、
前記枠体は上下方向に延びた一対の縦枠と、前記一対の縦枠の上端部に固定された上板と、前記一対の縦枠の下端部に固定された下板とから構成され、
前記一対の縦枠は上下方向と直交する断面形状がＵ字状であり、前記Ｕ字状の開口側が互いに対向するように配置され、
前記主ウェートは、両端部が前記縦枠の開口に挿入され、中央部が前記枠体から露出し、
前記追加ウェートは前記主ウェートの中央部に固定したことを特徴とするエレベータ装置。
【請求項９】
請求項７または８において、
前記追加ウェートは複数有し、上下方向に積層されて配置したことを特徴とするエレベータ装置。
【請求項１０】
請求項７または８において、
前記主ウェートには穴が穿設され、前記追加ウェートは前記穴に埋め込まれる埋込ボルトにより、前記主ウェートに固定したことを特徴とするエレベータ装置。
【請求項１１】
請求項９において、
前記複数の追加ウェートは、隣接する前記追加ウェート同士が対向する位置に設けた固定ピンにより連結したことを特徴とするエレベータ装置。
【請求項１２】
請求項１１において、
前記追加ウェートには、前記固定ピンを固定する固定ボルトを設けたことを特徴とするエレベータ装置。
【請求項１３】
請求項９において、
前記カウンターウェートは、前記乗りかごと前記昇降路の昇降壁とのそれぞれに対向するように配置され、前記追加ウェートは、前記乗りかごに対向する前記主ウェートの面と、前記昇降壁に対向する前記主ウェートの面に固定可能であり、
前記追加ウェートの追加にあたっては、前記乗りかごに対向する前記主ウェートの面を優先して前記追加ウェートを固定することを特徴とするエレベータ装置。
【発明の詳細な説明】
【技術分野】
【０００１】
本発明は、カウンターウェート及びこれを備えたエレベータ装置に関する。
【背景技術】
【０００２】
一般に、エレベータ装置はトラクション方式（つるべ方式）と呼ばれるものが多く普及している。このトラクション方式は乗りかごとカウンターウェートとがトラクションロープによって懸架されており、巻上機でトラクションロープを巻き上げることにより乗りかごとカウンターウェートが逆方向に上下に昇降するものである。ところで、既設のエレベータへの仕様追加構造でかご重量が増加する場合、カウンターウェートの重量も増す必要がある。
【０００３】
そして、カウンターウェートの重量増を図るものとして従来技術として、例えば特許文献１に記載の技術が提案されている。
【０００４】
特許文献１には、カウンターウェートを構成する枠体内に主ウェートおよび調整ウェートが配置され、枠体の上部に装着される調整ウェートは、左右一対の縦梁同士を結ぶ方向に２分割して配置したことが開示されている。また、特許文献１には、枠体を構成する下梁の下面、若しくは枠体を構成する縦梁の側壁にねじ棒、ボルトを用いて調整ウェートを固定したことが開示されている。
【先行技術文献】
【特許文献】
【０００５】
【特許文献１】特開２００７−５５７７３号公報
【発明の概要】
【発明が解決しようとする課題】
【０００６】
しかしながら、前述した特許文献１に記載の技術においては、あらかじめ設置される主ウェートの上部に調整ウェート、つまり追加ウェートを配置するものである。すなわち、既設ウェートの上部に追加ウェート用のスペースがあることを前提としたものであり、このスペースが確保できないものにあっては、カウンターウェートの重量増を図ることが難しいという課題があった。
【０００７】
また、枠体を構成する下梁、若しくは縦梁にねじ棒、ボルトを用いて調整ウェートを固定するようにしているので、下梁、縦梁にねじ棒、ボルトを通すための孔をあける必要があり、枠体の強度が低下するといった課題があった。
【０００８】
本発明の目的は、枠体の強度を確保しつつ、設置スペースによる影響を抑えて重量増を図ることのできるカウンターウェート及びこれを備えたエレベータ装置を提供することにある。
【課題を解決するための手段】
【０００９】
前記目的を達成するために本発明は、枠体と、前記枠体内に積層された主ウェートとを備えたカウンターウェートにおいて、前記主ウェートに追加ウェートを固定したことを特徴とする。
【００１０】
また、本発明は、巻上機と、前記巻上機に巻掛けられたトラクションロープと、前記トラクションロープの一方に設けられ昇降路内を移動する乗りかごと、前記トラクションロープの他方に設けられ前記昇降路内を移動するカウンターウェートとを備えたエレベータ装置において、前記カウンターウェートは、枠体と、前記枠体内に積層された主ウェートを備え、前記主ウェートに追加ウェートを固定したことを特徴とする。
【発明の効果】
【００１１】
本発明によれば、枠体の強度を確保しつつ、設置スペースによる影響を抑えて重量増を図ることのできるカウンターウェート及びこれを備えたエレベータ装置を提供することができる。
【００１２】
なお、上述した以外の課題、構成および効果は、以下の実施形態の説明により明らかにされる。
【図面の簡単な説明】
【００１３】
【図１】本発明の実施形態に係るエレベータ装置の概略図である。
【図２】本発明の実施形態に係るエレベータ装置のカウンターウェートを示す正面図である。
【図３】本発明の実施形態に係るカウンターウェートの側面図である。
【図４】本発明の実施形態に係るカウンターウェートの上面図である。
【図５】本発明の実施形態に係る追加ウェートの要部を示す斜視図である。
【図６】本発明の実施形態に係る追加ウェートの連結部の断面図である。
【発明を実施するための形態】
【００１４】
以下、本発明のエレベータ装置を実施するための形態について、図１乃至図６参照して説明する。なお、各図において同一または類似の構成には同じ符号を付して繰り返しの説明は省略する。
【００１５】
図１は、本発明の実施形態に係るエレベータ装置の概略図である。図１において、エレベータ装置は昇降路１０内に設置される。巻上機２０に巻き掛けたトラクションロープ３０の一方端は、乗りかご４０の下部に設けた左右一対のかご下プーリ５０Ａ，５０Ｂを通して懸架した後に、昇降路１０の上方部位置で固定されている。トラクションロープ３０の他方端は、カウンターウェート６０に設置されたプーリ７０を通して懸架した後に、昇降路１０の上方部位置で固定されている。エレベータ装置は巻上機２０を回転駆動することにより、トラクションロープ３０の一方に設けられた乗りかご４０と、トラクションロープ３０の他方に設けられたカウンターウェート６０は、昇降路１０内を上下方向に移動する。
【００１６】
次に、カウンターウェート６０の構成について説明する。図２は、本発明の実施形態に係るエレベータ装置のカウンターウェートを示す正面図、図３は、本発明の実施形態に係るカウンターウェートの側面図、図４は、本発明の実施形態に係るカウンターウェートの上面図である。
【００１７】
カウンターウェート６０は、両側に配置された一対の縦枠６１ａ，６１ｂ、縦枠６１ａ，６１ｂの下端部を連結する下側板６１ｃ、および縦枠６１ａ，６１ｂの上端部を連結する上側板６１ｄを有する枠体６１と、枠体６１に積層される主ウェート６２と、上側板６１ｄに取り付けられ、トラクションロープ３０が巻き掛けられるプーリ７０と、枠体６１の四隅に配置されるガイド装置６３ａ，６３ｂ，６３ｃ，６３ｄとを備えている。
【００１８】
本実施形態においては、縦枠６１ａ，６１ｂが左右に見える状態におけるカウンターウェート６０の位置（図２）を正面、正面に反対側を背面、縦枠６１ａ，６１ｂが重なって見える状態におけるカウンターウェート６０の位置（図３）を側面と定義する。
【００１９】
縦枠６１ａ，６１ｂは、それぞれ上下方向（長手方向）と直交する断面形状がＵ字状を成しており、開口側が互いに向き合うように配置され、反開口側がガイドレール１１ａ，１１ｂに対向するようになっている。
【００２０】
下側板６１ｃは、上側板６１ｄと対となって配置されるものであり、その両端がボルトにより縦枠６１ａ，６１ｂの下部に固定され、積載される主ウェート６２の荷重を受けるようになっている。
【００２１】
上側板６１ｄは、その両端がボルトにより縦枠６１ａ，６１ｂの上部に固定され、その中間部には、プーリ７０が回転可能に取り付けられている。
【００２２】
主ウェート６２は、上方から見てその両端がＵ字状の断面形状を有する縦枠６１ａ，６１ｂに嵌合可能なように幅狭となっていると共に、その中央部は、縦枠６１ａ，６１ｂの幅寸法より幅広となっている。主ウェート６２が枠体６１に装着された状態において、主ウェート６２は両端部が縦枠６１ａ，６１ｂによって覆われており、中央部が外部に露出するようになっている。また、最上位置に配置される主ウェート６２は、ウェート押さえ６４により押さえられ、主ウェート６２全体としてガタつきが生じないようになっている。
【００２３】
プーリ７０は、上側板６１ｄに回転可能に取り付けられており、トラクションロープ３０が巻き掛けられ、カウンターウェート６０を懸架する。
【００２４】
ガイド装置６３は、ガイド装置６３ａが縦枠６１ａの上端、ガイド装置６３ｂが縦枠６１ａの下端、ガイド装置６３ｃが縦枠６１ｂの上端、ガイド装置６３ｄが縦枠６１ｂの下端に取り付けられ、ガイドレール１１ａ，１１ｂに摺接してカウンターウェート６０の昇降を案内する。
【００２５】
ところで、既設のエレベータへの仕様を追加する構造であってかご重量が増加する場合には、既設のカウンターウェート６０の重量も増やす必要がある。そして、本実施形態は、既設のカウンターウェート６０の重量増を図るためのものであり、特に、既設の主ウェート６２上部に追加スペースがないエレベータ装置であっても対応可能とした。この構成について以下説明する。
【００２６】
図２及び図３に示すように、カウンターウェート６０には、その正面及び背面に複数の追加ウェート６５が設置されている。追加ウェート６５は、分割構造となっており、例えば、主ウェート６２の一方の面（正面）に、下方から順に追加ウェート６５ａ，６５ｂ，６５ｃ，６５ｄが積み重ねられると共に、主ウェート６２の他方の面（背面）に、追加ウェート６５ｅ，６５ｆ，６５ｇ，６５ｈが積み重ねられている。追加ウェート６５は、枠体６１に覆われていない部分、すなわち枠体６１から露出した部分に固定される。
【００２７】
追加ウェート６５ａ，６５ｄ，６５ｅ，６５ｈは、主ウェート６２の正面及び背面に穿設される穴６２ａに埋め込まれる埋込ボルト６６により固定されている。なお、主ウェート６２が鉄製のものである場合、埋込ボルト６６は先端部にネジ山が切られた締結ボルトであり、先端部が穴６２ａに螺合される。また、主ウェート６２がコンクリート製のものである場合、埋込ボルト６６はアンカーボルトであり、先端部が穴６２ａに打ち込まれて固定される。本実施形態において、追加ウェート６５は鉄系の金属材料で構成している。
【００２８】
追加ウェート６５ｂ，６５ｃは、追加ウェート６５ａ，６５ｄの間に挟まれると共に、後述する固定ピン６７により隣接する追加ウェート同士が連結されることにより固定されている。同様に、追加ウェート６５ｆ，６５ｇにおいても追加ウェート６５ｅ，６５ｈの間に挟まれると共に、固定ピン６７により隣接する追加ウェート同士が連結されることにより固定されている。なお、追加ウェート６５ｂ，６５ｃ，６５ｆ，６５ｇも埋込ボルト６６により主ウェート６２に固定することも可能である。
【００２９】
本実施形態では、主ウェート６２の正面及び背面に追加ウェート６５が設置可能である。追加ウェート６５は、調整ウェートとしての役割を担っており、既設のエレベータへの仕様追加に応じて、追加ウェート６５の個数を調整する。図３に示すように、カウンターウェート６０は昇降路１０に配置されるが、カウンターウェート６０は一方の面（背面）が昇降壁１２と対向し、他方の面（正面）が乗りかご４０と対向する。本実施形態においては、主ウェート６２の中心を境として、昇降壁１２と対向するカウンターウェート６０の一方の面を昇降壁側、乗りかご４０と対向するカウンターウェート６０の他方の面をかご側と定義する。本実施形態では、かご側の面が正面、昇降壁側の面が背面となっている。追加ウェート６５は、正面及び背面に固定が可能である。
【００３０】
昇降壁側に位置するカウンターウェート６０の一方の面側（背面側）は、昇降壁１２との距離が近いため、主ウェート６２に追加ウェート６５ｅ，６５ｆ，６５ｇ，６５ｈを取り付ける場合、作業者は昇降壁１２と干渉し易い。そこで、主ウェート６２に追加ウェート６５を取付ける場合には、順序として、まずかご側に位置するカウンターウェート６０の他方の面側（正面側）を優先して、主ウェート６２に追加ウェート６５ａ，６５ｂ，６５ｃ，６５ｄを取付けるようにする。かご側に位置するカウンターウェート６０の他方の面側（正面側）は、乗りかご４０との距離が比較的離れているので、作業者は乗りかご４０との干渉すること無く、追加ウェート６５ａ，６５ｂ，６５ｃ，６５ｄを取り付けることができ、作業性が良い。追加ウェート６５ａ，６５ｂ，６５ｃ，６５ｄの取付作業が完了し、さらに追加ウェート６５が必要な場合には、追加ウェート６５ａ，６５ｂ，６５ｃ，６５ｄの取付作業が完了後に追加ウェート６５ｅ，６５ｆ，６５ｇ，６５ｈを取り付けるようにすると良い。
【００３１】
次に、固定ピン６７について説明する。図５は、本発明の実施形態に係る追加ウェートの要部を示す斜視図、図６は、本発明の実施形態に係る追加ウェートの連結部の断面図である。
【００３２】
追加ウェート６５は、主ウェート６２の正面及び背面にあって積層されると共に、固定ピン６７により隣接する追加ウェート６５（例えば追加ウェート６５ｂと追加ウェート６５ｃ）同士が連結されている。
【００３３】
固定ピン６７は、追加ウェート６５の上面および下面に穿設される穴６８に埋め込まれるものであり、下側の追加ウェート６５ｂの上面に穿設される穴６８に固定ピン６７の下側が挿入され、上側の追加ウェート６５ｃの下面に穿設される穴６８に固定ピン６７の上側が挿入される。すなわち、固定ピン６７は追加ウェート６５同士が対向する位置に設けられ、追加ウェート６５同士が連結される。また、固定ピン６７の一端側および他端側には、追加ウェート６５のある一面（本実施形態では正面もしくは背面）に穿設される穴６９に挿入可能な固定ボルト８０が螺合されるようになっている。固定ピン６７は、固定ボルト８０により追加ウェート６５に固定される。
【００３４】
本実施形態にあっては、既設のカウンターウェート６０の重量増を図る場合、主ウェート６２の正面及び背面に穴６２ａを穿設する。次いで、最下部に位置する追加ウェート６５ａ，６５ｅを埋込ボルト６６により固定する。すなわち、埋込ボルト６６を追加ウェート６５ａ，６５ｅに挿通させつつ、その先端部を穴６２ａに固定する。この後、追加ウェート６５ａの上に、追加ウェート６５ｂ，６５ｃ，６５ｄを積み重ねる。この時、隣接する追加ウェート６５同士を固定ピン６７により連結する。すなわち、下側の追加ウェート６５上面の穴６８に固定ピン６７の下側を挿入すると共に、上側の追加ウェート６５下面の穴６８に固定ピン６７の上側を挿入し、この状態で追加ウェート６５側面の穴６９から固定ボルト８０を挿入しつつ、固定ボルト８０を固定ピン６７に螺合する。同じようにして、追加ウェート６５ｅの上に、追加ウェート６５ｆ，６５ｇ，６５ｈを積み重ねる。そして、最上部に位置する追加ウェート６５ｄ，６５ｈを埋込ボルト６６により固定する。
【００３５】
以上説明したように本実施形態は、トラクションロープによりつるべ式に懸架される乗りかご４０およびカウンターウェート６０を備えたものにあって、カウンターウェート６０は、複数の主ウェート６２が積層されて構成されるエレベータ装置において、主ウェート６２の正面に穿設される穴６２ａと、穴６２ａに埋め込まれる埋込ボルト６６と、埋込ボルト６６に固定される追加ウェート６５とを設けた構成にした。
【００３６】
このような構成によれば、追加ウェート６５を主ウェート６２の側面に埋込ボルト６６により固定することにより、既設の主ウェート６２上部にスペースがないものでも、カウンターウェート６０の重量増を図ることができる。また、主ウェート６２が、鉄製のものでもコンクリート製のものでも対応することができる。
【００３７】
また、追加ウェート６５を設置するにあたり、枠体６１への穴あけ等の加工が不要であるので、枠体６１の強度を確保することができる。
【００３８】
さらに、本実施形態は前記構成に加え、追加ウェート６５は複数に分割され、主ウェート６２の側面にあって積み重ねられると共に、固定ピン６７により隣接する追加ウェート６５同士が連結される構成とした。
【００３９】
このような構成によれば、追加ウェート６５を分割することにより運搬性や組立性の向上を図ることができる。また、固定ピン６７により隣接する追加ウェート６５同士を連結することで、追加ウェート６５のズレやガタつきを防止することができる。
【００４０】
なお、本発明は、上述した実施形態に限定するものではなく、様々な変形形態例が含まれる。例えば、上述した実施形態は本発明を分かり易く説明するために詳細に説明したものであり、必ずしも説明した全ての構成を備えるものに限定するものではない。またある実施形態の構成の一部を他の実施形態の構成に置き換えることが可能であり、また、ある実施形態の構成に他の実施形態の構成を加えることも可能である。また、各実施形態の構成の一部について、他の構成の追加、削除、置換をすることが可能である。
【符号の説明】
【００４１】
１０…昇降路、１１ａ，１１ｂ…ガイドレール、１２…昇降壁、１６…固定ボルト、２０…巻上機、３０…トラクションロープ、４０…乗りかご、５０Ａ，５０Ｂ…かご下プーリ、６０…カウンターウェート、６１…枠体、６１ａ，６１ｂ…縦枠、６１ｃ…下側板、６１ｄ…上側板、６２…主ウェート、６２ａ…穴、６３ａ，６３ｂ，６３ｃ，６３ｄ…ガイド装置、６４…ウェート押さえ、６５，６５ａ，６５ｂ，６５ｃ，６５ｄ，６５ｅ，６５ｆ，６５ｇ，６５ｈ…追加ウェート、６６…埋込ボルト、６７…固定ピン、６８，６９…穴、７０…プーリ、８０…固定ボルト
【図１】
2020169085.tif 000003
【図２】
2020169085.tif 000004
【図３】
2020169085.tif 000005
【図４】
2020169085.tif 000006
【図５】
2020169085.tif 000007
【図６】
2020169085.tif 000008